(57)【要約】【課題】ＦＰＣ／ＦＦＣ（接続対象物）の領域を有効活用しつつ接続することのできるコネクタを提供すること。【解決手段】受容部２０にＦＰＣ／ＦＦＣ５０が受容された状態においてアクチュエータ２００を閉位置に移動させると、アクチュエータ２００のリフトアップ部２２０が上側被押圧部３１４をリフトアップする。そのリフトアップにより上側接触部３１８が下方に移動させられてＦＰＣ／ＦＦＣ５０の上側端子６２に押し付けられる。アクチュエータ２００は、リフトアップの反力として、上側被押圧部３１４により押し下げられる。下方に移動した上側接触部３１８は、ＦＰＣ／ＦＦＣ５０を介して上側コンタクト３００と別体である下側コンタクト４００の下側被押圧部４１４を押し下げる。この下側被押圧部４１４の押し下げにより下側接触部４１８が上方に移動させられてＦＰＣ／ＦＦＣ５０の下側端子７２に押し付けられる。【選択図】図５
2012043624.tif 000002
【特許請求の範囲】
【請求項１】
ハウジングと、開位置と閉位置との間で回転自在に前記ハウジングに保持されたアクチュエータと、前記ハウジングに保持された上側コンタクトと、前記上側コンタクトと別体であり前記ハウジングに保持された下側コンタクトとを備え、接続対象物と接続するコネクタであって、
前記アクチュエータは、リフトアップ部を有しており、
前記上側コンタクトは、一端に上側被押圧部を有し且つ他端に上側接触部を有する上側腕部と、前記上側腕部の前記上側被押圧部と前記上側接触部との間の位置を支持する上側支持部とを有しており、
前記下側コンタクトは、一端に下側被押圧部を有し且つ他端に下側接触部を有する下側腕部と、前記下側腕部の前記下側被押圧部と前記下側接触部との間の位置を支持する下側支持部とを有しており、
前記上側腕部と前記下側腕部とは、前記アクチュエータが前記開位置にあるとき前記接続対象物を前記上側腕部と前記下側腕部との間の受容部に受容可能となるように、且つ、前記上側接触部が前記下側被押圧部の上方に位置するように配置されており、
前記受容部に前記接続対象物が受容された状態において前記アクチュエータが前記閉位置にあるとき、前記上側被押圧部が前記リフトアップ部によりリフトアップされることにより前記上側接触部が下方に移動させられて前記接続対象物の上面に押し付けられる一方で、下方に移動した前記上側接触部が前記接続対象物を介して前記下側被押圧部を押し下げることにより前記下側接触部が上方に移動させられて前記接続対象物の下面に押し付けられる
コネクタ。
【請求項２】
請求項１記載のコネクタであって、
前記上側コンタクトは、前記上側支持部から前記上側被押圧部側に向かって延びると共に前記ハウジングに固定された上側第１被固定部と、前記上側支持部から前記上側接触部側に向かって延びると共に前記ハウジングに固定された上側第２被固定部とを更に備えており、
前記下側コンタクトは、前記下側支持部から前記下側被押圧部側に向かって延びると共に前記ハウジングに固定された下側第１被固定部と、前記下側支持部から前記下側接触部側に向かって延びると共に前記ハウジングに固定された下側第２被固定部とを更に備えている
コネクタ。
【請求項３】
請求項１又は請求項２記載のコネクタであって、
当該コネクタは、ホールドダウンを更に備えており、
前記ホールドダウンは、前記接続対象物のグランド端子に接続されるグランドコンタクトを有している
コネクタ。
【請求項４】
請求項１乃至請求項３のいずれかに記載のコネクタと前記接続対象物とを備える組立体であって、
前記接続対象物を保持する保持部材を更に備える組立体。
【発明の詳細な説明】
【技術分野】
【０００１】
本発明は、ＦＦＣ（Flexible Flat Cable）やＦＰＣ（Flexible Printed
Circuit）のようなシート状又は板状の接続対象物と接続するコネクタに関する。
【背景技術】
【０００２】
この種のコネクタとしては、例えば、特許文献１に提案されているものがある。この特許文献１のコネクタは、アクチュエータ（加圧部材）を閉位置に位置させた際にコンタクトの３つの部位を接続対象物に弾性接触させることとしている。３つの部位のうち少なくとも一つは接続対象物の上面に押し付けられる部位であり、少なくとも他の一つは接続対象物の下面に押し付けられる部位である。引用文献１のコネクタは、上述した３つの部位のいずれをも接点として用いられることができることから、接続対象物側における接点の配置の自由度を高めることができる。
【先行技術文献】
【特許文献】
【０００３】
【特許文献１】特開２００４−３９３２１号公報
【発明の概要】
【発明が解決しようとする課題】
【０００４】
特許文献１によれば、接続対象物側の接点の配置の自由度を高めるために一つのコンタクトにつき３つの接点を確保しなければならない。換言すると、それら３つの接点に対応する接続対象物上の３つの位置は、実際にコンタクトと接続する接続端子として機能するのは１つだけであるにもかかわらず、常に確保されていなければならない。即ち、特許文献１によれば、接続対象物上の領域の有効活用ができないといった問題がある。
【０００５】
そこで、本発明は、接続対象物との接続に関して当該接続対象物上の領域を有効活用することのできるコネクタを提供することを目的とする。
【課題を解決するための手段】
【０００６】
本発明は、第１のコネクタとして、
ハウジングと、開位置と閉位置との間で回転自在に前記ハウジングに保持されたアクチュエータと、前記ハウジングに保持された上側コンタクトと、前記上側コンタクトと別体であり前記ハウジングに保持された下側コンタクトとを備え、接続対象物と接続するコネクタであって、
前記アクチュエータは、リフトアップ部を有しており、
前記上側コンタクトは、一端に上側被押圧部を有し且つ他端に上側接触部を有する上側腕部と、前記上側腕部の前記上側被押圧部と前記上側接触部との間の位置を支持する上側支持部とを有しており、
前記下側コンタクトは、一端に下側被押圧部を有し且つ他端に下側接触部を有する下側腕部と、前記下側腕部の前記下側被押圧部と前記下側接触部との間の位置を支持する下側支持部とを有しており、
前記上側腕部と前記下側腕部とは、前記アクチュエータが前記開位置にあるとき前記接続対象物を前記上側腕部と前記下側腕部との間の受容部に受容可能となるように、且つ、前記上側接触部が前記下側被押圧部の上方に位置するように配置されており、
前記受容部に前記接続対象物が受容された状態において前記アクチュエータが前記閉位置にあるとき、前記上側被押圧部が前記リフトアップ部によりリフトアップされることにより前記上側接触部が下方に移動させられて前記接続対象物の上面に押し付けられる一方で、下方に移動した前記上側接触部が前記接続対象物を介して前記下側被押圧部を押し下げることにより前記下側接触部が上方に移動させられて前記接続対象物の下面に押し付けられる
コネクタを提供する。
【０００７】
また、本発明は、第２のコネクタとして、第１のコネクタであって、
前記上側コンタクトは、前記上側支持部から前記上側被押圧部側に向かって延びると共に前記ハウジングに固定された上側第１被固定部と、前記上側支持部から前記上側接触部側に向かって延びると共に前記ハウジングに固定された上側第２被固定部とを更に備えており、
前記下側コンタクトは、前記下側支持部から前記下側被押圧部側に向かって延びると共に前記ハウジングに固定された下側第１被固定部と、前記下側支持部から前記下側接触部側に向かって延びると共に前記ハウジングに固定された下側第２被固定部とを更に備えている
コネクタを提供する。
【０００８】
また、本発明は、第３のコネクタとして、第１又は第２のコネクタであって、
当該コネクタは、ホールドダウンを更に備えており、
前記ホールドダウンは、前記接続対象物のグランド端子に接続されるグランドコンタクトを有している
コネクタを提供する。
【０００９】
更に、本発明は、第１乃至第３のいずれかのコネクタと前記接続対象物とを備える組立体であって、
前記接続対象物を保持する保持部材を更に備える組立体を提供する。
【発明の効果】
【００１０】
本発明によれば、接続対象物の上面及び下面の夫々に端子を設けることが可能となるため、特許文献１記載の技術と比較して、接続対象物に含まれる信号線数を約２倍に増やすことができる。
【００１１】
また、本発明によれば、上側コンタクトと下側コンタクトとで接続対象物を上下から挟むことにより、接続対象物と上側コンタクト及び下側コンタクトとを夫々接触させることとしたため、高い接触信頼性を得ることができる。
【００１２】
更に、上側コンタクトを上側第１被固定部と上側第２被固定部とでハウジングに固定することとし、下側コンタクトを下側第１被固定部と下側第２被固定部とでハウジングに固定することとした場合には、上側接触部や下側接触部の変位に伴って上側コンタクトや下側コンタクトが望ましくない回動をしてしまってハウジングから外れてしまうような事態を確実に防止することができる。
【図面の簡単な説明】
【００１３】
【図１】本発明の実施の形態によるコネクタを示す前面斜視図である。
【図２】図１のコネクタを示す後面斜視図である。
【図３】図１のコネクタに接続される接続対象物とそれを保持する保持部材とを示す斜視図である。
【図４】図１のコネクタのIV--IV線に沿った断面図である。ここで、アクチュエータは開位置にある。
【図５】図１のコネクタのIV--IV線に沿った断面図である。ここで、コネクタには接続対象物が挿入されており、アクチュエータは閉位置にある。
【図６】図１のコネクタのVI--VI線に沿った断面図である。ここで、コネクタには接続対象物が挿入されており、アクチュエータは閉位置にある。
【図７】図１のコネクタに含まれるアクチュエータを示す斜視図である。
【図８】図７のアクチュエータをVIII--VIII線に沿って示す断面図である。
【図９】図１のコネクタに含まれるホールドダウンを示す斜視図である。
【発明を実施するための形態】
【００１４】
以下、本発明の実施の形態によるコネクタを備える組立体について図面を参照して詳細に説明する。
【００１５】
図１乃至図６を参照すると、本実施の形態によるコネクタ１０は、その幅方向に長手を有するものであり、保持部材８０に保持されたＦＰＣ／ＦＦＣ５０を接続対象物とするものである。
【００１６】
図３、図５及び図６を参照すると、ＦＰＣ／ＦＦＣ５０は、上面６０及び下面７０を有する絶縁体からなる基体シートを有するものである。上面６０には複数の上側端子６２が形成されており、下面７０には、複数の下側端子７２と２つのグランド端子７４とが形成されている。下側端子７２は、幅方向においてグランド端子７４に挟まれている。
【００１７】
図３、図５及び図６を参照すると、ＦＰＣ／ＦＦＣ５０は絶縁体からなる保持部材８０内に挿入され、保持されている。保持部材８０の先端部分の下面側には複数の溝部８４が形成されており、それらの溝部８４を通じてＦＰＣ／ＦＦＣ５０の下側端子７２及びグランド端子７４に接触可能となっている。保持部材８０の幅方向両端には、取扱部８６が形成されている。本実施の形態においては、これら取扱部８６を持ちながらコネクタ１０に保持部材８０の先端部８２を挿入するため、ＦＰＣ／ＦＦＣ５０をそのままコネクタ１０に挿入する場合と比較して取り扱い易い。また、ＦＰＣ／ＦＦＣ５０の上側端子６２、下側端子７２及びグランド端子７４は、接触可能である一方で、先端部８２により保護されていることから、ＦＰＣ／ＦＦＣ５０が保持されていない状態と比較して、破損する可能性が低くなっている。
【００１８】
図１、図２、図４乃至図６を参照すると、本実施の形態によるコネクタ１０は、絶縁体からなるハウジング１００と、絶縁体からなるアクチュエータ２００と、金属からなる複数の上側コンタクト３００と、金属からなる複数の下側コンタクト４００と、金属からなる複数のホールドダウン５００とを備えている。図４乃至図６から明らかなように、本実施の形態による上側コンタクト３００と下側コンタクト４００とは、互いに別体である。
【００１９】
図１、図２、図４乃至図６を参照すると、アクチュエータ２００は、開位置（図４参照）と閉位置（図５及び図６参照）との間で回転自在となるように、ハウジング１００に保持されている。図４から理解されるように、本実施の形態において、開位置にあるアクチュエータ２００は、ハウジング１００の前端１０２側に倒すことにより、閉位置まで移動することができる。本実施の形態によるアクチュエータ２００は、図７に示されるように、幅方向に長手を有しており、複数のスリット２１０が形成されている。図８に示されるように、スリット２１０内には、そのスリット２１０を構成する対向壁同士を幅方向において連結するリフトアップ部２２０が形成されている。リフトアップ部２２０は、アクチュエータ２００が開位置と閉位置との間で回転する際に上下に変位するように構成されている。より具体的には、アクチュエータ２００が閉位置にあるときのリフトアップ部２２０の位置は、アクチュエータ２００が開位置にあるときのリフトアップ部２２０の位置よりも高い。
【００２０】
図２及び図４を参照すると、各上側コンタクト３００は、ハウジング１００の後端１０４から前方に向かって挿入されることにより、ハウジング１００に圧入固定されている。
【００２１】
詳しくは、上側コンタクト３００は、上側腕部３１０と、上側腕部３１０を支持する上側支持部３３０と、上側支持部３３０から延びる上側第１被固定部３５０及び上側第２被固定部３７０とを有している。
【００２２】
上側腕部３１０の一端には上側被押圧部３１４が設けられており、上側腕部３１０の他端には上側接触部３１８が設けられている。上側被押圧部３１４は、アクチュエータ２００のスリット２１０内においてリフトアップ部２２０上に亘るように延びている。従って、リフトアップ部２２０が上方に向かって変位するとき（即ち、アクチュエータ２００が開位置から閉位置に向かって回転するとき）、上側被押圧部３１４はリフトアップされる。上側接触部３１８は、ＦＰＣ／ＦＦＣ５０の上側端子６２と電気的に接触するための部位である。上側支持部３３０の一端は、上側被押圧部３１４と上側接触部３１８との間の位置を支持しており、そのため、上側腕部３１０はシーソーのように動くことができる。即ち、上側被押圧部３１４がリフトアップ部２２０により持ち上げられると、上側接触部３１８が下方に移動させられる。
【００２３】
上側第１被固定部３５０は、上側支持部３３０の他端（即ち、上側腕部３１０を支持している端部とは反対側の端部）から上側被押圧部３１４側に向かって延びており、上側第２被固定部３７０は、上側支持部３３０の他端から上側接触部３１８側に向かって延びている。即ち、上側第２被固定部３７０は、上側第１被固定部３５０とは逆方向に延びている。上側第１被固定部３５０は、短い棒状の形状を有している。この上側第１被固定部３５０は、ハウジング１００に形成された孔に挿入されており、事実上、移動ができないように規制されている。上側第２被固定部３７０は、略Ｕ字状の形状を有しており、ハウジング１００に圧入固定されている。上側第２被固定部３７０の先端３７２は、上側第１被固定部３５０と対向する位置に形成され、この先端３７２は、ハウジング１００に形成された孔１１０に挿入されており、事実上、移動ができないように規制されている。
【００２４】
図１及び図４を参照すると、各下側コンタクト４００は、ハウジング１００の前端１０２から後方に向かって挿入されることにより、ハウジング１００に圧入固定されている。
【００２５】
詳しくは、下側コンタクト４００は、下側腕部４１０と、下側腕部４１０を支持する下側支持部４３０と、下側支持部４３０から延びる下側第１被固定部４５０及び下側第２被固定部４７０とを有している。
【００２６】
下側腕部４１０の一端には下側被押圧部４１４が設けられており、下側腕部４１０の他端には下側接触部４１８が設けられている。下側被押圧部４１４は、上下方向において上側接触部３１８と対向するように設けられている。即ち、本実施の形態において上側接触部３１８は、下側被押圧部４１４の上方に位置している。下側接触部４１８は、ＦＰＣ／ＦＦＣ５０の下側端子７２と電気的に接触するための部位である。下側支持部４３０の一端は、下側被押圧部４１４と下側接触部４１８との間の位置を支持しており、そのため、下側腕部４１０はシーソーのように動くことができる。即ち、下側被押圧部４１４が下方に変位すると、下側接触部４１８が上方に移動させられる。
【００２７】
下側第１被固定部４５０は、下側支持部４３０の他端（即ち、下側腕部４１０を支持している端部とは反対側の端部）から下側被押圧部４１４側に向かって延びており、下側第２被固定部４７０は、下側支持部４３０の他端から下側接触部４１８側に向かって延びている。即ち、下側第２被固定部４７０は、下側第１被固定部４５０とは逆方向に延びている。下側第１被固定部４５０は、短い棒状の形状を有しており、ハウジング１００に圧入固定されている。下側第２被固定部４７０は、略Ｊ字状の形状を有しており、ハウジング１００に圧入固定されている。下側第２被固定部４７０の圧入部４７２には、突起４７４が形成されており、ハウジング１００に形成された溝１０６の内壁に食い込むことによって、被保持部１０８を挟持するように固定されている。
【００２８】
図４から明らかなように、上側コンタクト３００の上側腕部３１０と下側コンタクト４００の下側腕部４１０とは、アクチュエータ２００が開位置にあるときに上側腕部３１０と下側腕部４１０との間の空間（受容部２０）にＦＰＣ／ＦＦＣ５０を受容可能となるように、配置されている。また、本実施の形態において、幅方向と直交する平面内において、上側接触部３１８、下側被押圧部４１４及び下側第１被固定部４５０は、上側第２被固定部３７０内に位置している。更に、下側接触部４１８は、上下方向においてリフトアップ部２２０と対向するように設けられている。
【００２９】
図１及び図２から理解されるように、ホールドダウン５００は、ハウジング１００の幅方向両端に取り付けられている。これらホールドダウン５００は、ハウジング１００の前端１０２から後方に向かって挿入されることにより、ハウジング１００に圧入固定されている。
【００３０】
図９に示されるように、ホールドダウン５００は、コネクタ１０が搭載される基板（図示せず）に半田付け等によって固定される被固定部５１０と、ベース部５２０と、グランドコンタクト５３０とを有している。グランドコンタクト５３０はベース部５２０により被固定部５１０と電気的に接続されている。図６及び図９を参照すると、グランドコンタクト５３０は、ハウジング１００に圧入固定される主部５３２と、主部５３２から延びると共に弾性を有するバネ部５３４と、バネ部５３４の先端に設けられたグランド接触部５３６とを有している。グランド接触部５３６は、ＦＰＣ／ＦＦＣ５０のグランド端子７４と電気的に接触するための部位であり、上下方向に変位可能となるようにバネ部５３４に支持されている。図６に示されるように、グランド接触部５３６は、上下方向においてリフトアップ部２２０と対向するように設けられている。
【００３１】
上述したような構造を備えるコネクタ１０は、以下に述べるようにしてＦＰＣ／ＦＦＣ５０と接続する。
【００３２】
まず、アクチュエータ２００が開位置にあるときに受容部２０にＦＰＣ／ＦＦＣ５０を挿入する。本実施の形態におけるＦＰＣ／ＦＦＣ５０は保持部材８０に保持されているので、より具体的には、アクチュエータ２００が開位置にあるとき、ＦＰＣ／ＦＦＣ５０を保持する保持部材８０の先端部８２を受容部２０に挿入する。
【００３３】
その状態において、アクチュエータ２００を前方に倒して、閉位置まで回転させる。この回転により、上側被押圧部３１４はリフトアップ部２２０によりリフトアップされる。
【００３４】
上側被押圧部３１４がリフトアップされると、上側接触部３１８が下方に移動させられてＦＰＣ／ＦＦＣ５０の上側端子６２に押し付けられる。これにより、上側コンタクト３００と上側端子６２との電気的接続が図られる。
【００３５】
下方に移動した上側接触部３１８はＦＰＣ／ＦＦＣ５０を介して下側被押圧部４１４を押し下げる。押し下げられた下側被押圧部４１４は、ＦＰＣ／ＦＦＣ５０に対して上向きの力を反力として与える。この反力により、上側コンタクト３００と上側端子６２との電気的接続がしっかりと維持される。
【００３６】
下側被押圧部４１４が押し下げられると、下側接触部４１８が上方に移動させられてＦＰＣ／ＦＦＣ５０の下側端子７２に押し付けられる。これにより、下側コンタクト４００と下側端子７２との電気的接続が図られる。
【００３７】
なお、リフトアップ部２２０は、上側被押圧部３１４をリフトアップしている際、その反力として上側被押圧部３１４から下向きの力を受ける。即ち、アクチュエータ２００が閉位置にあるとき、上側コンタクト３００の上側被押圧部３１４はアクチュエータ２００を押し下げている。上側コンタクト３００の上側被押圧部３１４によるアクチュエータ２００の押し下げにより、下側コンタクト４００と下側端子７２との電気的接続がしっかりと維持される。
【００３８】
更に、上側コンタクト３００の上側被押圧部３１４によるアクチュエータ２００の押し下げにより、ＦＰＣ／ＦＦＣ５０のグランド端子７４をホールドダウン５００のグランドコンタクト５３０に対して確実に電気的に接続させることができる。
【００３９】
更に、上側コンタクト３００に上側第１被固定部３５０及び上側第２被固定部３７０を設け、下側コンタクト４００に下側第１被固定部４５０及び下側第２被固定部４７０を設けたことから、上側接触部３１８や下側接触部４１８が変位した場合であっても上側コンタクト３００や下側コンタクト４００が望ましくない回動をしてしまうことがない。
【００４０】
上述した実施の形態においては、保持部材８０の下面側に複数の溝部８４を形成したが、複数の溝部８４は保持部材８０の上面側に、あるいは両面に形成しても良く、また溝部８４は形成しなくても良い。さらに、保持部材８０で保持した状態のＦＰＣ／ＦＦＣ５０をコネクタ１０の接続対象物としていたが、本発明はそれに限定されるわけではない。例えば、保持部材８０に保持されていない一般的なＦＰＣ／ＦＦＣ５０を接続対象物としてもよい。
【符号の説明】
【００４１】
１０        コネクタ
２０        受容部
５０        ＦＰＣ／ＦＦＣ（接続対象物）
６０        上面
６２        上側端子
７０        下面
７２        下側端子
７４        グランド端子
８０        保持部材
８２        先端部
８４        溝部
８６        取扱部
１００        ハウジング
１０２        前端
１０４        後端
１０６        溝
１０８        被保持部
１１０        孔
２００        アクチュエータ
２１０        スリット
２２０        リフトアップ部
３００        上側コンタクト
３１０        上側腕部
３１４        上側被押圧部
３１８        上側接触部
３３０        上側支持部
３５０        上側第１被固定部
３７０        上側第２被固定部
３７２        先端
４００        下側コンタクト
４１０        下側腕部
４１４        下側被押圧部
４１８        下側接触部
４３０        下側支持部
４５０        下側第１被固定部
４７０        下側第２被固定部
４７２        圧入部
４７４        突起
５００        ホールドダウン
５１０        被固定部
５２０        ベース部
５３０        グランドコンタクト
５３２        主部
５３４        バネ部
５３６        グランド接触部
【図１】
2012043624.tif 000003
【図２】
2012043624.tif 000004
【図３】
2012043624.tif 000005
【図４】
2012043624.tif 000006
【図５】
2012043624.tif 000007
【図６】
2012043624.tif 000008
【図７】
2012043624.tif 000009
【図８】
2012043624.tif 000010
【図９】
2012043624.tif 000011